(57)【要約】 【課題】  従来のようなヘルメットでは工事現場で測量をする際、庇が測量器機に接触し邪魔になるケースが多く、この問題を回避するためにその都度ヘルメットを脱ぐ等の危険行為を冒している。又、工事現場内では様々な飛散物や溶接作業によるスパークなど眼球に悪影響を及ぼす物も多く、安全のためヘルメットと保護メガネを併用しなければならない。【解決手段】  殻体11の周端縁部に枢軸により庇12を上下方向に上げ下げ可能に取り付け、庇12を透明または半透明の材料で構成し保護メガネもしくはサングラスとして機能させ、庇12を上下方向に上げ下げをロックさせるロック機構を設けたヘルメット。【選択図】  図１
2007056393.tif 000002
【特許請求の範囲】
【請求項１】
殻体の周端縁部に枢軸により庇を上下方向に上げ下げ可能に取付けたことを特徴とするヘルメット。
【請求項２】
上記庇を透明又は半透明の材料で構成したことを特徴とする請求項１に記載のヘルメット。
【請求項３】
上記庇の基部にロック機構を備えていることを特徴とした請求項１または請求項２に記載のヘルメット。
【発明の詳細な説明】
【技術分野】
【０００１】
本発明は、ヘルメットに関するものである。
【背景技術】
【０００２】
従来からヘルメットは、硬質プラスチック等から成る殻体と庇を一体的に形成したものが大半を占めている。
【０００３】
上記のヘルメットを装着して工事現場で測量をする際、庇が測量器機に接触し邪魔になる。この問題を回避するためにヘルメットを脱ぐか、もしくはあみだに装着して庇が測量器機に接触しないようにしているが、これでは頭部の保護というヘルメットの本来の目的を成し得ず、大変危険である。
【０００４】
このような問題を解決するために、庇の移動機能を持ったヘルメットがある（例えば特許文献１参照）。
【０００５】
上記の特許文献１に記載のヘルメットは、本願明細書に添付した図面の図9(A)・(B)に示すように、１は硬質プラスチック等から成り、略半球状の殻体であって、その周端縁部１ａは円形となっている。２はひさし部であって、円形の摺動環状部２ａと一体的に形成されている。該摺動環状部２ａは、上記殻体１の周端縁部１ａに対して円周方向に摺動可能に嵌合している。ひさし部２とは反対側の該摺動環状部２ａには、膨出部２ｂが突設している。
【０００６】
この構成によれば、庇を邪魔にならない位置に移動することができ、測量器機に庇が接触せずに測量作業を行うことができる。
【特許文献１】特開2001-146623号公報
【発明の開示】
【発明が解決しようとする課題】
【０００７】
上記のような従来のヘルメットでは測量作業に於いて、ヘルメットを装着した状態で測量器機を覗く際、庇が測量器機に接触して測量作業の支障となり、この問題を回避するためにはヘルメットを脱ぐか、あみだに装着しなければならないが、これでは頭部を保護できないため大変危険である。
【０００８】
又、工事現場内では様々な飛散物や溶接作業によるスパークなど眼球に悪影響を及ぼす物が多く、安全のためヘルメットと保護メガネを併用しなければならない。本発明は、この問題をひとつのヘルメットで解決することも課題としている。
【０００９】
又、特許文献１のものは、庇を邪魔にならない位置に移動することは出来るが、眼球を保護することはできない。
【００１０】
その上、構成が複雑なため部品の点数が増え製造コストの増加を招きやすいが、本発明はこれらの問題も解決することを課題としている。  
【課題を解決するための手段】
【００１１】
この課題を解決するための請求項１の発明は、殻体の周端縁部に枢軸により庇を上下方向に上げ下げ可能に取付けたことを特徴としている。
【００１２】
このような構成により、殻体の周端縁部に枢軸により庇を上下方向に上げ下げ可能に取付けているので、庇を上方向に上げれば、測量作業に於いてヘルメットを正常に装着したまま測量器機を覗いても、庇が測量器機に接触することがなくなり支障なく測量作業を行える。
【００１３】
又、庇を下方向に下げれば、眼球の前方向を遮蔽する形態となるため飛散物等から眼球を保護することができる。
【００１４】
請求項2の発明は、請求項１に記載のヘルメットにおいて、庇を透明または半透明の材料で構成したことを特徴としている。
【００１５】
この構成により、庇を下方向に下げ眼球の前方向を遮蔽する形態となった際、庇が保護メガネとして機能することになる。
【００１６】
請求項３の発明は、請求項１または請求項２に記載のヘルメットにおいて、庇の基部に庇が特定の角度で上下しない状態となるロック機構を備えていることを特徴としている。
【００１７】
この構成によれば、ロック機構が庇の上げ下げを制止するため、従来のヘルメットと同様に庇を手で掴んでヘルメットを頭部に脱着することができる。
【発明の効果】
【００１８】
請求項１の発明によれば、殻体の周端縁部に枢軸により庇を上下方向に上げ下げ可能に取付けたことにより、庇を上方向に上げれば測量器機に庇が接触することなくヘルメットを装着した状態で測量作業ができ、庇を下方向に下げれば、飛散物等から眼球を保護することが出来るうえ、簡易な構造ため、部品の点数も低減され、製造コストを抑えることができる。
【００１９】
請求項２の発明によれば、庇を下方向に下げた際、庇が保護メガネとしての機能を果たすため、飛散物から眼球を保護でき、ヘルメットひとつで頭部の保護と眼球の保護とサングラスとしての機能を備えるため、利便性が大変に高くなる。
【００２０】
請求項３の発明によれば、ヘルメットを頭部に脱着する際、ロック機構が庇の上げ下げを制止するため、従来のヘルメットと同様に庇を手で掴んで脱着することができる。
【発明を実施するための最良の形態】
【００２１】
以下、本発明の実施の最良の形態を図によって説明するが、本発明に於いてはヘルメット装着用バンドについては特徴が無いため、説明は省いている。
【００２２】
請求項１のヘルメットの一実施例としては、図1・図２のように、略半球状の殻体11と、軸受け部13a・13bが突出する形で一体的に形成された庇部12と、図４のように殻体11に固定もしくは一体形成した回転軸14a・14bにより構成されている。
【００２３】
本実施例では、上記殻体部11、庇部12、軸受け部13a・13b、回転軸14a・14bは硬質プラスチックから成り、図５のように回転軸14a・14bは断面ギヤ形状とし、軸受け部13a・13bの内側の刳り貫き形状を回転軸14a・14bの断面形状に合致させている。尚、回転軸14a・14bは金属製としてもよい。
【００２４】
上記の構成において、庇部12を上下方向に上げ下げする際、回転軸14a・14bの凸部と軸受け部13a・13bの凹部が互いに干渉し、段階的に回転するようになる。これによるとギヤの歯数の増減に伴い回転の段階数も増減する。又、断面形状を正多角形とした場合でも同等の効果が得られる。
【００２５】
又、図５のように庇部12から突出した軸受け部13a・13bに開口部を設けて、この開口部から回転軸14a・14bに差し込む形で装着するようにすれば、庇部12を容易に殻体11から脱着でき、例えば庇部12を下記に述べるように、用途に応じて交換することが可能になる。
【００２６】
図2（A）・図3（A）の状態から庇部12を上方向に上げ、図2（B）・図3（B）のような状態にすると、庇が測量器機に接触しないためヘルメットを正常に装着したままで支障なく測量作業が行える。
【００２７】
又、図2（A）・図3（A）の状態から庇部12を下方向に下げ、図2（C）・図3（C）のような状態にすると、庇部12が眼球の前方向を遮蔽する格好となり飛散物等から眼球を保護することができる。その際、庇部12が顔面に接触することを防ぐため、図5（B）のように庇部12に回転止めの突起19を一体形成することにより、庇部12を下方向へ下げた際、一定の角度での制止できる。
【００２８】
本実施例では、回転軸・回転軸受けの個数をそれぞれ２個としているが、単数または2個以上に適宜変更可能である。
【００２９】
又、回転軸14a・14bは殻体11と一体形成してもよいが、図6のように回転軸14a・14bの両端部に四角体Ａを一体形成し、殻体11にその四角体の両端部が収まるように同形状の刳り貫きＡ'を形成しておき、矢印方向に回転軸14a・14bを殻体11に挿入して接着固定してもよい。
【００３０】
請求項2ヘルメットの実施例としては、庇部12を透明もしくは半透明のプラスチックで構成している。
【００３１】
この構成で庇部12を下方向に下げ、図2（C）・図3（C）のような状態にすると、庇部12が保護メガネとして機能するようになる。
【００３２】
さらに、庇部12の透明性のプラスチックに着色剤等の透光抑制剤を配合すればサングラスとしての効果を有し、例えば作業上やむなく太陽や照明等の方向を目視しなければならない時にも役立つ上、庇部12は脱着が可能な為、着色剤の色違いにより用途や好みに応じた交換が可能である。
【００３３】
このように、請求項２の発明によれば、ヘルメットひとつで頭部保護と眼球保護とサングラスの機能を有し大変利便性が高くなる。
【００３４】
次に請求項３のヘルメットは、請求項１もしくは請求項２のヘルメットに、図1（B）のように、樹脂性の板状のストッパー18a・18bを庇部12に取付けたストッパー受け16a・16bおよび殻体11に取付けたストッパー受け15a・15bの一部に接するように、片端を回転軸17a・17bで殻体11に枢支した状態で取付けた構成となっている。
【００３５】
請求項３の発明の動作を図7により説明すると、図7（A）のようにストッパー18bを殻体11に取付けたストッパー受け15bの一部に接する状態に回転するとロック解除状態となり、庇部12が上下方向に上げ下げ可能になるが、ストッパー18bを図7（B）のように庇部12に取付けたストッパー受け15aの一部に接する状態に回転すると、ストッパー18bが庇部12をロックして上下方向に上げ下げ不可能になり、殻体11と庇部12が図2（A）・図3（A）の状態で固定されて、例えば従来のヘルメットと同様に庇を手で掴んでヘルメットを脱着することができる。
【００３６】
又、図8のようにストッパー受け15a・15bに突起物20・21を設けることでストッパー18a・18bをストッパー受け15a・15b・16a・16bに接した状態でストッパー18a・18bの回転を簡略的に固定できる。
【００３７】
図8のようにストッパー受け15a・15b・16a・16bは斜線部分を庇部12と、回転軸17a・17bは斜線部分を殻体11とそれぞれ接着固定してもよいが、15a・15b・16a・16bは庇部12と、回転軸17a・17bは殻体11と一体形成することもできる。
【図面の簡単な説明】
【００３８】
【図１】本発明のヘルメットの一実施例を示す上面図および下面図である。
【図２】同ヘルメットの庇部の上げ下げの説明の側面図である。
【図３】同ヘルメットの庇部の上げ下げの説明の斜視図である。
【図４】同ヘルメットの構成部品を展開した斜視図である。
【図５】同ヘルメットの殻体の周縁端部と庇部との枢支構造の構成例を示す要部        拡大図である。
【図６】同ヘルメットの殻体の周縁端部と回転軸との構成例を示す要部拡大図である。
【図７】請求項３記載のロック機構の動作の説明の拡大平面図である。
【図８】同ロック機構の構成部品を展開した斜視図である。
【図９】特許文献1のヘルメットの断面図および下面図である。
【符号の説明】
【００３９】
1    殻体                        1a   殻体周端縁部
2    ひさし部                    2a   摺動環状部
2b   膨出部                      11   殻体
12   庇部                        13a  軸受け部
13b  軸受け部                    14a  回転軸
14a  回転軸                      15a  ストッパー受け
15b  ストッパー受け              16a  ストッパー受け
16b  ストッパー受け              17a  回転軸
17b  回転軸                      18a  ストッパー
18a  ストッパー                  19   突起
【図１】
2007056393.tif 000003
【図２】
2007056393.tif 000004
【図３】
2007056393.tif 000005
【図４】
2007056393.tif 000006
【図５】
2007056393.tif 000007
【図６】
2007056393.tif 000008
【図７】
2007056393.tif 000009
【図８】
2007056393.tif 000010
【図９】
2007056393.tif 000011